(57)【特許請求の範囲】
【請求項１】
ディジタルデータが記録／再生される磁気テープと、前記磁気テープに関連する情報が記憶される不揮発性メモリとを備えたメモリ付きテープカセットを記録／再生する記録再生装置であって、
前記磁気テープにおける前記ディジタルデータを記録する領域は複数のパーテーションに区切られ、かつ、前記各パーテーションにはエンド・オブ・データ（Ｅｎｄ  Ｏｆ  Ｄａｔａ：ＥＯＤ）領域が設けられ、
前記不揮発性メモリに記憶された情報を前記ＥＯＤ領域にバックアップするバックアップ手段を有し、
前記バックアップ手段は、前記不揮発性メモリに記憶された情報を前記ＥＯＤ領域に記録する際に、不揮発性メモリに記憶された情報を前記ＥＯＤ領域にバックアップする毎にインクリメントされる番号を同時に当該ＥＯＤ領域に記録する記録再生装置。
【発明の詳細な説明】
【０００１】
【発明の属する技術分野】
本発明は、磁気テープの関連情報が記憶される不揮発性メモリを備えたメモリ付きテープカセット及び記録再生装置に関する。
【０００２】
【従来の技術】
ディジタルデータを磁気テープに記録／再生するテープストリーマドライブは、記録容量が膨大であるため、ハードディスク等のストレージデバイスに保存されたデータをバックアップするのに広く用いられている。
【０００３】
このようなテープストリーマドライブとして、例えば、８ミリＶＴＲのテープカセットと同様のテープカセットを利用し、回転ヘッドを用いて、ヘリカルスキャン方式で、ディジタルデータを磁気テープに記録／再生するようなものが提案されている。
【０００４】
ところで、このような回転ヘッドによりデータが記録／再生されるテープストリーマドライブに装着されるテープカセットに、不揮発性メモリを取り付けることが提案されている。この不揮発性メモリには、テープカセット毎の製造年月日や製造場所、テープの厚さや長さ、材質等の情報が記録される。更に、この不揮発性メモリに、パーティション毎の管理情報や、ユーザ情報を記憶させ、これらをよみとることによって、所望の情報を読み出すことができる。
【０００５】
【発明が解決しようとする課題】
しかしながら、テープカセットに取り付けられた不揮発性メモリである例えばＥＥＰＲＯＭのリテンション期間（データの読み出しが保証される期間）は仕様上３０年程度であるのに対して、磁気テープの保存期間は１００年程度と長いため、例えば１００年後にテープを読み出したい場合には、不揮発性メモリに記録されている情報を既に読み取れなくなってしまう虞がある。そして、不揮発性メモリに記録されている情報が読み取れない場合には、磁気テープに記録されている情報自体も読み取れなくなる、という問題がある。
【０００６】
本発明は、このような事情に基づきなされたもので、不揮発性メモリに記録されている情報が読み取れなくなった場合であっても、磁気テープに記録されている情報を読み取ることが可能なメモリ付きテープカセット及び記録再生装置を提供することを目的としている。
【０００７】
【課題を解決するための手段】
かかる課題を解決するため、本発明の第1の観点は、回転ヘッドによりディジタルデータが記録／再生される磁気テープと、前記磁気テープに関連する情報が記憶される不揮発性メモリとを備えたメモリ付きテープカセットであって、前記不揮発性メモリに記憶された情報を前記磁気テープの所定の領域でバックアップするようにしたことを特徴とするものである。
【０００８】
本発明の第2の観点は、回転ヘッドによりディジタルデータが記録／再生される磁気テープと、前記磁気テープに関連する情報が記憶される不揮発性メモリとを備えたメモリ付きテープカセットを記録／再生する記録再生装置であって、前記不揮発性メモリに記憶された情報を前記磁気テープの所定の領域にバックアップする手段を有することを特徴とするものである。
【０００９】
本発明によれば、不揮発性メモリに記憶された情報を磁気テープの所定の領域でバックアップするようにしたので、不揮発性メモリに記録されている情報が読み取れなくなった場合であっても、磁気テープに記録されている情報を読み取ることが可能となる。
【００１０】
【発明の実施の形態】
以下、この発明の一実施例について図面を参照して説明する。
【００１１】
図１及び図２は本発明に係るテープカセット２０を示す斜視図及び平面図であり、テープカセット２０の外観は、上側ケース２４と、下側ケース２３と、ガードパネル２１とからなり、基本的には通常の８ミリＶＴＲに用いられるテープカセット２０と同様に構成されている。
【００１２】
テープカセット２０内には、図２に示すように、リール２５ａ及び２５ｂ及びが配設され、このリール２５ａ及び２５ｂ及びの間に、一例としてテープ長さ１６０ｍ、テープ幅８ｍｍの磁気テープ１４が巻装される。この磁気テープ１４に、ディジタルデータが記録／再生される。また、テープカセット２０には、不揮発性メモリ１７が配設される。不揮発性メモリ１７のモジュールからは、プラス５Ｖの電源端子１７ａと、データ入力端子１７ｂと、クロック入力端子１７ｃと、接地端子１７ｄとが導出される。この不揮発性メモリ１７については後述するように、テープカセット毎の製造年月日や製造場所、テープの厚さや長さ、材質、各パーティションの管理情報、ユーザ情報等が記憶される。
【００１３】
このテープカセット２０のラベル面２２には、端子ピン２６ａ〜２６ｄが設けられる。これらの端子ピン２６ａ〜２６ｄは、テープカセット２０内に設けられた不揮発性メモリ１７から導出されたプラス５Ｖの電源端子１７ａ、データ入力端子１７ｂ、クロック入力端子１７ｃ、接地端子１７ｄに夫々接続される。
【００１４】
なお、上述の例では、４つの端子ピン２６ａ〜２６ｄが設けられているが、５つの端子ピンを有するタイプのものが検討されている。
【００１５】
更に、装置側及び不揮発性メモリ１７側に送受信用のアンテナを有し、非接触でデータの授受を行う方式も実用化されている。
【００１６】
図３は、上記テープカセット２０を記録／再生する記録再生装置としてのテープストリーマドライブ１の構成を示すブロック図であり、このテープストリーマドライブ１では、ヘリカルスキャン方式で磁気テープ１４にデータが記録・再生される。回転ドラム１３には、２つの記録ヘッド１５ａ及び１５ｂと、２つの再生ヘッド１６ａ及び１６ｂが配置されている。これら２つの記録ヘッド１５ａ及び１５ｂは互いに異なるアジマス角とされ、これにより上記傾斜して記録されたデータの２つのトラックは、異なるアジマス角のトラックとなる。
【００１７】
回転ドラム１３にはテープカセット２０から引き出された磁気テープ１４が巻きつけられており、この回転ドラム１３はドラムモータ１２により回転されるようになっている。また、磁気テープ１４はキャプスタンモータ及びピンチローラ（図示せず）により走行される。
【００１８】
ドラムモータ１２は、メカコントローラ１０の制御により回転制御され、ドラムサーボ及びトラッキングサーボ等の処理が行われる。このメカコントローラ１０と、全体制御を行うシステムコントローラ６とは双方向に接続されている。不揮発性メモリ１７への書き込みは、システムコントローラ６の制御により行われる。
【００１９】
なお、不揮発性メモリ１７とホストコンピュータ３との間では、ＳＣＳＩのコマンドを用いて、情報がやり取りされる。このため、不揮発性メモリ１７とホストコンピュータ３との間を結線する必要はない。テープカセット２０とホストコンピュータとの間は、ＳＣＳＩインターフェースだけで結ぶことができる。
【００２０】
データの入出力にはＳＣＳＩインターフェース４が用いられており、データを記録する際にはホストコンピュータ３から、例えば３２ｋバイトを１レコードとしてデータが送られ、このデータは、ＳＣＳＩインターフェース４を介して、データ圧縮／伸長回路５に入力される。
【００２１】
データ圧縮／伸長回路５は、ＬＺ符号によりデータの圧縮／伸長を行うものである。ＬＺ符号は、入力した文字列の繰り返しを検出することにより、データの圧縮を行うものであり、例えば、過去に処理した文字列に専用のコードが割り振られ、辞書の形で格納される。入力文字列と辞書とが比較され、一致したときは辞書コードに書き換えられる。一致しなかった文字列は逐次辞書に登録される。このように、入力文字を辞書に登録し、文字列を辞書のコードに書き換えていくことによりデータが圧縮される。
【００２２】
データを記録する際には、先ずホストコンピュータ３から入力されたデータが、ＳＣＳＩインターフェース４を介してデータ圧縮／伸長回路５に入力され、記録データ圧縮／伸長回路５の出力は、バッファコントローラ７の制御によりバッファメモリ８に一旦蓄えられる。データの記録は、グループ毎に行われる。１グループは所定トラック数のデータであり、バッファメモリ８から出力される１グループ分のデータは変調／復調回路９に入力され、変調／復調回路９で記録データが変調される。変調／復調回路９の出力は、ＲＦアンプ１１を介して記録ヘッド１５ａ及び１５ｂに入力され、記録ヘッド１５ａ及び１５ｂにより磁気テープ１４にデータが傾斜トラックで記録される。
【００２３】
データを再生する際には、先ず磁気テープ１４の記録データが再生ヘッド１６ａ及び１６ｂに入力される。再生ヘッドの出力は、ＲＦアンプ１１を介して変調／復調回路９に入力され、変調／復調回路９により復調された出力はバッファコントローラ７の制御によりバッファメモリ８に一旦蓄えられる。バッファメモリ８の出力はデータ圧縮／伸長回路５により伸長されて元のデータに戻され、データ圧縮／伸長回路５の出力はＳＣＳＩインターフェース４を介してホストコンピュータ３に出力される。
【００２４】
図４は、上記磁気テープ１４上に記録される傾斜トラックを示す。回転する記録ヘッド１５ａ及び１５ｂが交互に傾斜トラックＴを形成していき、１つのヘッドで１本のトラックＴが形成される。そして例えば、記録ヘッド１５ａ及び１５ｂの１回転で記録された２本の傾斜トラックを１フレームとしている。
【００２５】
図５は、磁気テープ１４上の物理フォーマットを示している。磁気テープ１４はデバイスエリア（Device Area）ＤＥＶＩＣＥと、複数のパーティション（Partition）とから構成される。デバイスエリアはテープの物理的な先頭位置ＰＢＯＴ（Physical Beginning of Tape）から最初のパーティション（Partition No.0）の論理的先頭位置ＬＢＯＴ（Logical Beginning of Tape）までの間に設けられており、テープカセット２０をテープストリーマドライブ１に装填してローディングしたり、テープストリーマドライブ１から取り外したりする場合に、テープの巻きつけ作業を行うために使用される。このデバイスエリアＤＥＶＩＣＥの長さは、例えば８６０ｍｍ±１０ｍｍとしている。
【００２６】
各パーティションの領域には、上記１フレームが２６４個形成されているリファレンスエリア（Reference Area）（ＲＥＦＥＲＥＮＣＥ）と、システムエリア（ＳＹＳＴＥＭ）と、データエリア（ＤＡＴＡ）と、本発明に関わるエンドオブデータエリア（EOD Area）（符号Ｅ０、Ｅ１、Ｅ２・・・）と、オプショナルデバイスエリア（Optinal Dvice Area）（ＯＰＴＩＯＮＡＬ  ＤＥＶＩＣＥ）とから構成される。システムエリア（ＳＹＳＴＥＭ）には、緩衝エリアとして機能する２つのPos.Tol.Bandと、１８０フレームのシステムプリアンブル（System Preamble）の領域と、２４フレームのシステムログ（System Log）の領域と、ベンダーグループプリアンブル（Vendor Group Preamble）の領域とから構成される。
【００２７】
システムログの領域には、例えばテープカセット２０がローディングされた回数や、磁気テープ１４上の既記録位置に関する情報を含んだログ情報が記録される。エンドオブデータエリア（以下、「ＥＯＤエリア」という）の領域には、ユーザデータがどこまで記録されているかを示すデリミタとして機能する情報が記録される。オプショナルデバイスエリア（ＯＰＴＩＯＮＡＬ  ＤＥＶＩＣＥ）は、テープカセット２０のローディング／アンローディング位置である。
【００２８】
データエリア（ＤＡＴＡ）の領域にはユーザ情報が記録され、この領域は、ベンダーグループ（Vendor Group）と、複数のレコーディッドデータグループ（Recorded Data Group）と、アンブルフレーム（Amble Frames）とから構成される。
【００２９】
図６は不揮発性メモリ１７における論理フォーマットを示す。図示のように、上記システムログ情報が記録される領域４３は、合計７２バイトのボリュームインフォメーション（Volume Information）の領域４０と、４４８バイト分のパーティションインフォメーション（Partitipn Information）の領域４１とからなり、ボリュームインフォメーション（Volume Information）の領域４０には、Set to all ZEROs、磁気テープ１４の長さや厚さの情報、フラッグ（Flags）、ラストパーティションナンバー（Last Partition Number）、デバイスエリアアロケーションマップ（Device Area Allocation Map）の情報が各々記録される。パーティションインフォメーション（Partitipn Information）の領域４１には、７つの各パーティションの管理情報が記録される。
【００３０】
本実施形態ではボリュームインフォメーション領域４０や、各パーティション領域４１等に記録されたデータを、ＥＯＤエリアＥ０、Ｅ１、Ｅ２・・・のうちの１つのＥＯＤエリアに書き込み、バックアップを図っている。これにより例えば不揮発性メモリ１７にデータが記録されてから３０年を経て、そのデータが読み取れなくなった場合であっても、磁気テープ１４上のＥＯＤエリアに記録されている情報を読み取ることが可能である。また、何らかの理由で不揮発性メモリ１７が損傷を受けた場合であっても同様にＥＯＤエリアに記録されている情報を読み取ることができる。
【００３１】
ここで図５を参照して、このＥＯＤエリアへのバックアップは、例えばＥＯＤエリアＥ０から順にＥ１、Ｅ２へと記録されていく。今、例えばＥＯＤエリアがＥ０、Ｅ１及びＥ２の３つが存在しているとすると、先ず初回にＥ０に記録し、次にＥ１に記録し、その次にＥ２に記録していくので、更にその次にバックアップするときはＥ０に行う。この場合には、３つのＥＯＤエリアＥ０、Ｅ１又はＥ２のうち、どのＥＯＤエリアにバックアップしたデータが最新のデータであるのかわからなくなるのを防ぐために、バックアップされたデータに古い順からそれぞれ通し番号（バックアップナンバー）を付すようにする。例えば、上記例のようにＥＯＤエリアＥ２の次にＥＯＤエリアＥ０にバックアップした場合には、そのＥＯＤエリアＥ０にバックアップされたデータを、最古のデータから数えて４番目に更新されたデータとしてバックアップナンバー４を付すようにする。このような作業は、毎回不揮発性メモリ１７が書き直されるたびにインクリメントされる、インクリメント領域４２に格納されたバックアップナンバーにより行われる。
【００３２】
以上説明したバックアップ動作を図７に示すフローを参照して更に詳しく説明する。
【００３３】
先ず、システムコントローラ６（図３）から不揮発性メモリ１７のデータを読むように要求され(ステップ１)、読めた場合には、以降、通常の動作が行われる(ステップ２')。一方、何らかの障害により不揮発性メモリ１７のデータが読めなくなった場合、例えばシステムコントローラ６の制御により警告が発せられ(ステップ２)、磁気テープ１４上の全てのＥＯＤエリアを読み込んで(ステップ３)、最大バックアップナンバー（最新のバックアップナンバー）を読み込む(ステップ４)。そして当該最大バックアップナンバーを不揮発性メモリ１７のインクリメント領域４２に書き戻す(ステップ５)。ここで再度、システムコントローラから不揮発性メモリ１７のデータを読むように要求され(ステップ６)、読めた場合には、以降、通常の動作が行われ(ステップ２')、読めなかった場合には、ステップ４において抽出された磁気テープ１４上の最大バックアップナンバーを有するＥＯＤエリアから最新のデータを読み込むことになる(ステップ７)。
【００３４】
以上のように、ＥＯＤエリアに更新された最新のデータを容易にサーチすることができる。また、このように通し番号を付すことにより、ＥＯＤエリアＥ０から順に記録せずに、ＥＯＤエリアＥ１の次にＥ０、その次にＥ２としてランダムに記録しても容易に最新のデータをサーチできる。
【００３５】
【発明の効果】
以上説明したように、本発明によれば、不揮発性メモリに記録されている情報が読み取れなくなった場合であっても、磁気テープに記録されている情報を読み取ることができる。
【図面の簡単な説明】
【図１】本発明の一実施形態に係るテープカセットの斜視図である。
【図２】本発明の一実施形態に係るテープカセットの略平面図である。
【図３】本発明の一実施形態に係る記録再生装置の構成ブロック図である。
【図４】磁気テープ上に記録される傾斜トラックを示す図である。
【図５】磁気テープ上の物理フォーマットを示す図である。
【図６】不揮発性メモリにおける論理フォーマットを示す図である。
【図７】本発明に係るバックアップ動作を示すフロー図である。
【符号の説明】
Ｄ１〜Ｄ３…ユーザデータエリア
Ｅ１〜Ｅ３…エンド・オブ・データエリア
１…テープストリーマドライブ
４…バックアップナンバー
６…システムコントローラ
１４…磁気テープ
１５ａ、１５ｂ…記録ヘッド
１６ａ、１６ｂ…再生ヘッド
１７…不揮発性メモリ
２０…テープカセット
４２…インクリメント領域
【図１】
0004626059.tif 000002
【図２】
0004626059.tif 000003
【図３】
0004626059.tif 000004
【図４】
0004626059.tif 000005
【図５】
0004626059.tif 000006
【図６】
0004626059.tif 000007
【図７】
0004626059.tif 000008